(57)【要約】  本発明は、モバイル装置測位技術の分野に関し、モバイル装置用の測位サービスを実施する方法および無線アクセス装置を開示する。この方法は、無線装置によって送信された測位要求を、無線通信接続を介して取得することと、無線アクセス装置の位置情報を取得することと、モバイル装置自体の位置情報および測位要求に応じてモバイル装置の測位サービス情報を取得することと、モバイル装置が測位サービス情報を受信し提示するように、無線通信接続を介して測位サービス情報をモバイル装置に返送することとを含む。技術的解決手法は、モバイル装置のソフトウェアを変更することなく、モバイル装置用の測位サービスを実施できる。
2014527742.tif 000002
【特許請求の範囲】
【請求項１】
近距離無線通信プロトコルを介して無線アクセス装置と無線通信接続を確立したモバイル装置用の測位サービスを実施する方法であって、
前記無線通信接続を介して前記無線アクセス装置によって、前記モバイル装置によって送信された測位要求を取得するステップと、
前記無線アクセス装置によって、前記測位要求を受信した後に前記無線アクセス装置の位置情報を取得するステップと、
前記無線アクセス装置によって、前記無線アクセス装置の前記位置情報および前記測位要求に応じて、前記モバイル装置の測位サービス情報を取得するステップと、
前記無線アクセス装置によって、前記モバイル装置が前記測位サービス情報を受信し提示するように、前記無線通信接続を介して前記測位サービス情報を前記モバイル装置に送信するステップと
を含む方法。
【請求項２】
前記測位要求は、測位サービス識別子および測位サーバのユニフォーム・リソース・ロケータを含み、前記無線通信接続を介して前記無線アクセス装置によって、前記モバイル装置によって送信された測位要求を取得するステップは、
前記無線アクセス装置によって、前記無線アクセス装置を経由して前記無線通信接続を介して前記モバイル装置によって前記測位サーバに送信された前記測位要求を傍受するステップを含み、
前記無線アクセス装置によって、前記無線アクセス装置の前記位置情報および前記測位要求に応じて前記モバイル装置の測位サービス情報を取得するステップは、
前記無線アクセス装置によって、新しい測位要求を取得するために前記無線アクセス装置の前記位置情報を前記測位要求に挿入し、前記測位サーバが、前記位置情報および前記測位サービス識別子に応じて、前記位置情報に関連する地図情報または前記測位サービス識別子によって識別された測位サービスに関連するナビゲーション情報を取得するように、前記測位サーバの前記ユニフォーム・リソース・ロケータに応じて前記新しい測位要求を前記測位サーバに送信するステップと、
前記無線アクセス装置によって、前記測位サーバによって返送された前記地図情報または前記ナビゲーション情報を受信し、前記モバイル装置の前記測位サービス情報として前記位置情報、前記地図情報、または前記ナビゲーション情報を使用するステップと
を含む、請求項１に記載の方法。
【請求項３】
前記測位要求は、測位サービス識別子を含み、前記無線通信接続を介して前記無線アクセス装置によって、前記モバイル装置によって送信された測位要求を取得するステップは、
前記無線アクセス装置によって、前記無線通信接続を介して前記無線アクセス装置内の組み込み測位サーバに送信された前記測位要求を受信するステップを含み、
前記無線アクセス装置によって、前記無線アクセス装置の前記位置情報および前記測位要求に応じて前記モバイル装置の測位サービス情報を取得するステップは、
前記位置情報および前記測位サービス識別子に応じて前記無線アクセス装置内の前記組み込み測位サーバによって、前記位置情報に関連する地図情報または前記測位サービス識別子によって識別された測位サービスに関連するナビゲーション情報を取得し、前記モバイル装置の前記測位サービス情報として前記位置情報、前記地図情報、または前記ナビゲーション情報を使用するステップを含む、請求項１に記載の方法。
【請求項４】
前記無線アクセス装置によって、前記モバイル装置によって送信された測位要求を取得する前に、前記方法は、
前記無線通信接続を介して前記無線アクセス装置によって、前記モバイル装置によって送信された測位能力照会要求を受信し、前記無線アクセス装置が測位能力を有していると判定したとき、前記無線通信接続を介して成功応答を前記モバイル装置に返送するステップをさらに含む、請求項１から３のいずれか一項に記載の方法。
【請求項５】
前記無線アクセス装置によって前記無線アクセス装置の位置情報を取得するステップは、
前記無線アクセス装置によって、衛星測位システムを介して前記無線アクセス装置の位置情報を取得するステップ、または、
前記無線アクセス装置によって、前記無線アクセス装置のＩＰアドレスを使用することにより測位によって前記無線アクセス装置の位置情報を取得するステップ、または、
前記無線アクセス装置によって、前記無線アクセス装置によってアクセスされたセルのセル識別子を使用することにより測位によって前記無線アクセス装置の位置情報を取得するステップを含む、請求項１から４のいずれか一項に記載の方法。
【請求項６】
前記無線アクセス装置によって、前記無線通信接続を介して前記測位サービス情報を前記モバイル装置に送信するステップは、
前記無線アクセス装置によって、ハイパーテキスト転送プロトコルまたはリアルタイム・ストリーミング・プロトコルを使用することより前記無線通信接続を介して前記測位サービス情報を前記モバイル装置に送信するステップ、または、
前記無線アクセス装置によって、仮想シリアルポート、ブロードキャストモード、または伝送制御プロトコル／インターネット・プロトコル・ポートを使用することにより前記無線通信接続を介して前記測位サービス情報を前記モバイル装置に送信するステップを含む、請求項１から５のいずれか一項に記載の方法。
【請求項７】
近距離無線通信プロトコルを介してモバイル装置と無線通信接続を確立するように構成されている無線アクセスモジュールと、
前記モバイル装置によって送信された測位要求を、前記無線通信接続を介して、取得するように構成されている第１の取得モジュールと、
前記第１の取得モジュールが前記測位要求を取得した後に前記無線アクセス装置の位置情報を取得するように構成されている第２の取得モジュールと、
前記第２の取得モジュールによって取得された前記位置情報と前記第１の取得モジュールによって取得された前記測位要求とに応じて、前記モバイル装置の測位サービス情報を取得するように構成されている第３の取得モジュールと、
前記モバイル装置が前記測位サービス情報を受信し提示するように、前記第３の取得モジュールによって取得された前記測位サービス情報を、前記無線通信接続を介して、前記モバイル装置に送信するように構成されている送信モジュールと
を備える、無線アクセス装置。
【請求項８】
前記測位要求が測位サービス識別子および測位サーバのユニフォーム・リソース・ロケータを含むとき、前記第１の取得モジュールは、前記無線アクセス装置を経由して前記無線通信接続を介して前記モバイル装置によって前記測位サーバに送信された前記測位要求を傍受するように構成され、
前記第３の取得モジュールは、新しい測位要求を取得するように前記位置情報を前記測位要求に挿入し、前記測位サーバが、前記位置情報および前記測位サービス識別子に応じて、前記位置情報に関連する地図情報または前記測位サービス識別子によって識別された測位サービスに関連するナビゲーション情報を取得するように、前記測位サーバの前記ユニフォーム・リソース・ロケータに応じて前記新しい測位要求を前記測位サーバに送信し、前記測位サーバによって返送された前記地図情報または前記ナビゲーション情報を受信し、前記モバイル装置の前記測位サービス情報として前記位置情報、前記地図情報、または前記ナビゲーション情報を使用するように構成されている、
請求項７に記載の無線アクセス装置。
【請求項９】
前記測位要求が測位サービス識別子を含むとき、前記第１の取得モジュールは、前記無線通信接続を介して前記モバイル装置によって前記無線アクセス装置内の組み込み測位サーバに送信された前記測位要求を受信するように構成され、
前記第３の取得モジュールは、前記位置情報および前記測位サービス識別子に応じて、前記位置情報に関連する地図情報または前記測位サービス識別子によって識別された測位サービスに関連するナビゲーション情報を取得し、前記モバイル装置の前記測位サービス情報として前記位置情報、前記地図情報、または前記ナビゲーション情報を使用するように構成されている、
請求項７に記載の無線アクセス装置。
【請求項１０】
前記モバイル装置によって送信された測位能力照会要求を、前記無線通信接続を介して、受信し、前記無線アクセス装置が測位能力を有していると判定されたとき、前記無線通信接続を介して成功応答を前記モバイル装置に返送するように構成されている照会モジュールをさらに備える、請求項７から９のいずれか一項に記載の無線アクセス装置。
【請求項１１】
前記第２の取得モジュールは、
衛星測位システムを介して前記無線アクセス装置の位置情報を取得するように構成されている第１の取得ユニット、または、
前記無線アクセス装置のＩＰアドレスを使用することにより測位によって前記無線アクセス装置の位置情報を取得するように構成されている第２の取得ユニット、または、
前記無線アクセス装置によってアクセスされたセルのセル識別子を使用することにより測位によって前記無線アクセス装置の位置情報を取得するように構成されている第３の取得ユニットを備える、請求項７から１０のいずれか一項に記載の無線アクセス装置。
【請求項１２】
前記送信モジュールは、
ハイパーテキスト転送プロトコルまたはリアルタイム・ストリーミング・プロトコルを使用することにより前記無線通信接続を介して前記測位サービス情報を前記モバイル装置に送信するように構成されている第１の送信ユニット、または、
仮想シリアルポート、ブロードキャストモード、または伝送制御プロトコル／インターネット・プロトコル・ポートを使用することにより前記無線通信接続を介して前記測位サービス情報を前記モバイル装置に送信するように構成されている第２の送信ユニットを備える、請求項７から１１のいずれか一項に記載の無線アクセス装置。
【発明の詳細な説明】
【技術分野】
【０００１】
本発明は、モバイル装置測位等の技術分野に関連し、特に、モバイル装置用の測位サービスを実施する方法および無線アクセス装置等に関する。
【背景技術】
【０００２】
概して、無線アクセス装置は、タブレットコンピュータのような（ｉＰａｄのような）ＷｉＦｉ（Ｗｉｒｅｌｅｓｓ  Ｆｉｄｅｌｉｔｙ、ワイヤレスフィデリティ）能力を有するモバイル装置と一緒に使用される。無線アクセス装置がモバイル装置と共に使用されるシナリオは、具体的には以下の通りである。モバイル装置は、（ＷｉＦｉのような）近距離無線通信プロトコルを介して無線アクセス装置にアクセスし、その後、事業者によって提供された関連サービスを享受するために無線アクセス装置の無線アクセス機能を使用することにより（例えば、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多元接続）モジュール）を使用して））事業者ネットワークにアクセスする。
【０００３】
現在のところ、（ｉＰａｄのような）多くのモバイル装置は、ＧＰＳチップを有していないが、無線アクセス装置は、組み込みＧＰＳチップを有していることがある。この場合、ＧＰＳチップを有していないモバイル装置が事業者によって提供された（ナビゲーションのような）測位サービスを使用する場合には、ＧＰＳチップを有していないモバイル装置は、ＧＰＳ機能を提供できず、無線アクセス装置内の組み込みＧＰＳチップを使用することによりこのモバイル装置自体のための測位を実施できない。その結果、測位サービスは、使用されることができず、無線アクセス装置内のＧＰＳチップの機能も同様にある程度無駄遣いされる。
【０００４】
従来技術では、無線アクセス装置は、組み込みＧＰＳチップを有し、無線アクセス装置がＢｌｕｅｔｏｏｔｈ（登録商標）接続またはＵＳＢ接続を提供できることが確実にされ、ここで、無線アクセス装置は、ＧＰＳ測位機能を提供するために外部ＧＰＳモジュールとしてＧＰＳチップを使用する。このようにして、モバイル装置は、ＵＳＢインターフェースまたはＢｌｕｅｔｏｏｔｈインターフェースを介して、無線アクセス装置によって提供された外部ＧＰＳモジュールに接続されることができ、外部ＧＰＳモジュール内のＧＰＳチップを使用することによりモバイル装置の位置情報を取得できる。
【０００５】
既存の無線アクセス装置は、ＷＩＦＩ接続だけを提供する。その結果、従来技術は、少なくとも以下の欠点を有している。（１）無線アクセス装置の既存のソフトウェアおよびハードウェア構造体はいずれもＷＩＦＩ接続を介して外部ＧＰＳモジュールを使用することによりモバイル装置の自己測位機能を提供することができない。（２）モバイル装置が無線アクセス装置の外部ＧＰＳモジュールを使用することにより測位を実施することを可能にするために従来技術を使用することが必要であるとき、無線アクセス装置のソフトウェアまたはハードウェアは変更される必要がある。さらに、従来技術は、タブレットコンピュータのようなモバイル装置に適用できない。
【０００６】
＜関連出願＞
本願は２０１１年１２月１３日付けで中国特許庁に出願された中国特許出願第２０１１１０４１４９７３．６号に基づく優先的利益を享受しており、その中国特許出願の内容全体は本願に組み入れられる。
【発明の概要】
【発明が解決しようとする課題】
【０００７】
実施の形態の課題は、無線アクセス装置のソフトウェア及び/又はハードウェアの変更を少なくしつつ、モバイル装置の自己測位機能を提供できるようにすることである。
【課題を解決するための手段】
【０００８】
実施の形態による方法は、
近距離無線通信プロトコルを介して無線アクセス装置と無線通信接続を確立したモバイル装置用の測位サービスを実施する方法であって、
前記無線通信接続を介して前記無線アクセス装置によって、前記モバイル装置によって送信された測位要求を取得するステップと、
前記無線アクセス装置によって、前記測位要求を受信した後に前記無線アクセス装置の位置情報を取得するステップと、
前記無線アクセス装置によって、前記無線アクセス装置の前記位置情報および前記測位要求に応じて、前記モバイル装置の測位サービス情報を取得するステップと、
前記無線アクセス装置によって、前記モバイル装置が前記測位サービス情報を受信し提示するように、前記無線通信接続を介して前記測位サービス情報を前記モバイル装置に送信するステップと
を含む方法である。
【図面の簡単な説明】
【０００９】
【図１】本発明の実施形態１に係るモバイル装置用の測位サービスを実施する方法のフローチャートである。
【図２】本発明の実施形態２に係るネットワークの構成図である。
【図３】本発明の実施形態２に係るモバイル装置用の測位サービスを実施する方法のフローチャートである。
【図４】本発明の実施形態２に係るモバイル装置用の測位サービスを実施する方法のフローチャートである。
【図５】本発明の実施形態２に係るモバイル装置用の測位サービスを実施する方法のフローチャートである。
【図６】本発明の実施形態２に係るモバイル装置用の測位サービスを実施する方法のフローチャートである。
【図７】本発明の実施形態３に係る無線アクセス装置を示す図である。
【発明を実施するための形態】
【００１０】
本発明の実施形態は、モバイル装置用の測位サービスを実施する方法および無線アクセス装置を提供することを課題とする。技術的解決手法は、具体的には、以下の通りである。
【００１１】
実施の形態による方法は、
近距離無線通信プロトコルを介して無線アクセス装置と無線通信接続を確立したモバイル装置用の測位サービスを実施する方法であって、
無線通信接続を介して無線アクセス装置によって、モバイル装置によって送信された測位要求を取得することと、
無線アクセス装置によって、測位要求を取得した後に無線アクセス装置の位置情報を取得することと、
無線アクセス装置によって、無線アクセス装置の位置情報および測位要求に応じてモバイル装置の測位サービス情報を取得することと、
無縁アクセス装置によって、モバイル装置が測位サービス情報を受信し提示するように、無線通信接続を介して測位サービス情報をモバイル装置に送信することと
を含む方法である。
【００１２】
実施の形態による装置は、
近距離無線通信プロトコルを介してモバイル装置と無線通信接続を確立するように構成されている無線アクセスモジュールと、
モバイル装置によって送信された測位要求を、無線通信接続を介して、取得するように構成されている第１の取得モジュールと、
第１の取得モジュールが測位要求を取得した後に無線アクセス装置の位置情報を取得するように構成されている第２の取得モジュールと、
第２の取得モジュールによって取得された位置情報と第１の取得モジュールによって取得された測位要求とに応じてモバイル装置の測位サービス情報を取得するように構成されている第３の取得モジュールと、
モバイル装置が測位サービス情報を受信し提示するように、第３の取得モジュールによって取得された測位サービス情報を、無線通信接続を介して、モバイル装置に送信するように構成されている送信モジュールと
を含む無線アクセス装置である。
【００１３】
これらの技術的解決手法は、モバイル装置のソフトウェアを変更することなく、モバイル装置用の測位サービスを実施でき、モバイル装置で測位サービスを実行し、より優れたサービスを人々に提供するために役立つ。
【００１４】
本発明の実施形態における技術的解決手法をより分かりやすく例示するために、以下、本発明の実施形態技術を説明するため必要とされる添付図面を簡単に紹介する。明らかに、以下の説明における添付図面は、本発明のいくつかの実施形態を表すだけであり、当業者は、創造的な努力をしなくても、やはり、これらの添付図面からその他の図面を導き出すだろう。
【００１５】
本発明の目的、技術的解決手法、および利点をより理解しやすくするために、以下、添付図面を参照して詳細に本発明の実施形態をさらに説明する。
【００１６】
＜実施の形態１＞
図１は、近距離無線通信プロトコルを介して無線アクセス装置と無線通信接続を確立したモバイル装置用の測位サービスを実施する方法を示し、ここで、この方法は、以下を含む。
【００１７】
ステップ１０１：無線アクセス装置は、モバイル装置によって送信された測位要求を、無線通信接続を介して、取得する。
【００１８】
ステップ１０２：無線アクセス装置は、測位要求を受信した後に無線アクセス装置の位置情報を取得する。
【００１９】
ステップ１０３：無線アクセス装置は、無線アクセス装置の位置情報および測位要求に応じてモバイル装置の測位サービス情報を取得する。
【００２０】
ステップ１０４：無線アクセス装置は、モバイル装置が測位サービス情報を受信し提示するように、無線通信接続を介して測位サービス情報をモバイル装置に送信する。
【００２１】
近距離無線通信プロトコルは、ブルートゥースＢｌｕｅＴｏｏｔｈプロトコル、赤外線データ協会ＩｒＤＡ（Ｉｎｆｒａｒｅｄ  Ｄａｔａ  Ａｓｓｏｃｉａｔｉｏｎ）プロトコル、ワイヤレスフィデリティＷｉＦｉ（Ｗｉｒｅｌｅｓｓ  Ｆｉｄｅｌｉｔｙ）プロトコル、超広帯域ＵＷＢ（Ｕｌｔｒａ−ｗｉｄｅｂａｎｄ）プロトコル、ＺｉｇＢｅｅプロトコルなどを含む。
【００２２】
この技術的解決手法は、モバイル装置のソフトウェアを変更することなく、モバイル装置用の測位サービスを実施でき、モバイル装置で測位サービスを実行し、より優れたサービスを人々に提供するために役立つ。
【００２３】
＜実施の形態２＞
図２が参照されることがある本発明の実施形態に対応するネットワーク構造は、モバイル装置２０１と、無線アクセス装置２０２と、事業者ネットワーク２０３とを含む。具体的には、モバイル装置２０１は、近距離無線通信プロトコルを介して無線アクセス装置２０２と無線通信接続を確立し、無線アクセス装置２０２のＷＣＤＭＡまたはＨＳＤＰＡ（Ｈｉｇｈ  Ｓｐｅｅｄ  Ｄｏｗｎｌｉｎｋ  Ｐａｃｋｅｔ  Ａｃｃｅｓｓ、高速ダウンリンク・パケット・アクセス）の無線アクセス能力を使用することにより事業者ネットワーク２０３にアクセスする。
【００２４】
無線アクセス装置２０２は、１つまたはそれ以上の機能チップを有している。本発明の実施形態では、無線アクセス装置２０２によって使用されたベースバンドチップは、ＧＰＳ（Ｇｌｏｂａｌ  Ｐｏｓｉｔｉｏｎｉｎｇ  Ｓｙｓｔｅｍ、全地球測位システム）モジュールのような衛星測位モジュールを有し、その一方で、無線アクセス装置２０２は、ＷｉＦｉアクセス能力を有し、すなわち、この装置は、ＷｉＦｉアクセス用のホットスポットＡＰ（アクセスポイント）として使用されてもよく、ＡＲＭ  １１またはＣｏｒｔｅｘ  Ａ８のようなプロセッサを有していてもよい。
【００２５】
さらに、本発明の実施形態におけるモバイル装置は、ＧＰＳモジュールのような衛星測位モジュールを有していなくてもよく、すなわち、本発明の実施形態におけるモバイル装置自体は、測位のため衛星測位モジュールを使用できない。
【００２６】
本発明の実施形態では、モバイル装置がモバイル装置の位置情報を取得する必要があるとき、モバイル装置は、無線アクセス装置のＧＰＳモジュールのような衛星測位モジュールを介して、モバイル装置の位置情報を取得し、ＧＰＳモジュールのような衛星測位モジュールを使用することにより測位によって位置情報を取得した後に、無線アクセス装置は、位置情報を無線アクセス装置に接続されたモバイル装置に転送し、さらに、モバイル装置は、取得された位置情報に応じて、（ナビゲーションサービスのような）所望の測位サービスをさらに実行してもよい。
【００２７】
以下、具体的な実施形態を参照して上記プロセスについて説明する。モバイル装置による測位サービスを始動させるために、モバイル装置の測位サービス情報は、モバイル装置によって要求された測位サービスを実行するため取得される必要がある。図３は、モバイル装置用の測位サービスを実施する方法を示し、この方法は、具体的には、図２に示されたネットワーク構造体に適用でき、具体的には、以下の動作ステップを含む。
【００２８】
ステップ３０１：モバイル装置が測位サービスを始動させるとき、例えば、モバイル装置がナビゲーションサービスを始動させるとき、モバイル装置は、無線アクセス装置を経由して無線通信接続を介して測位要求を測位サーバに送信し、ここで、測位要求は、測位サービス識別子および測位サーバのＵＲＬ（Ｕｎｉｆｏｒｍ  Ｒｓｅｏｕｒｃｅ  Ｌｏｃａｔｏｔ、ユニフォーム・リソース・ロケータ）などを含んでもよい。
【００２９】
具体的には、モバイル装置は、ＨＴＴＰ（ハイパーテキスト転送プロトコル、Ｈｙｐｅｒ  Ｔｅｘｔ  Ｔｒａｎｓｆｅｒ  Ｐｒｏｔｏｃｏｌ）またはＲＴＳＰ（リアルタイム・ストリーミング・プロトコル、Ｒｅａｌ−Ｔｉｍｅ  Ｓｔｒｅａｍｉｎｇ  Ｐｒｏｔｏｃｏｌ）プロトコルを使用することにより無線アクセス装置を経由して無線通信接続を介して測位要求を測位サーバに送信する。
【００３０】
ステップ３０２：無線アクセス装置は、近距離通信プロトコルを介して無線アクセス装置と無線通信接続を確立したモバイル装置のメッセージの着信および発信をリアルタイムで監視し、モバイル装置が無線アクセス装置を経由して無線通信接続を介して測位要求を送信したことを検出したとき、測位要求を傍受する。
【００３１】
ステップ３０１に関する説明から分かるように、無線アクセス装置は、ＨＴＴＰまたはＲＴＳＰプロトコルを使用することにより無線通信接続を介してモバイル装置によって測位サーバに送信された測位要求を傍受する。
【００３２】
ステップ３０３：無線アクセス装置は、測位要求を取得した後に無線アクセス装置の位置情報を取得する。
【００３３】
具体的には、無線アクセス装置は、衛星測位システムを使用することにより測位によって無線アクセス装置の位置情報を取得する。本発明の実施形態の具体的な実施では、無線アクセス装置は、無線アクセス装置のＧＰＳモジュールのような衛星測位モジュールを呼び出し、そして、衛星測位モジュールを呼び出すことにより衛星測位によって、具体的には、ＧＰＳデータでもよいモバイル装置の位置情報を取得してもよい。
【００３４】
本発明の実施形態では、無線アクセス装置によって取得された無線アクセス装置の位置情報は、モバイル装置の位置情報として使用されてもよい。モバイル装置と無線アクセス装置とは、近距離無線通信プロトコルを介して接続を確立するので、モバイル装置と無線アクセス装置との間の距離は、非常に短く、通常は、１０ｍを超えない。その結果、本発明の実施形態では、モバイル装置と無線アクセス装置との間の距離が無視され、ＧＰＳモジュールのような衛星測位モジュールを呼び出すことにより衛星測位を用いて無線アクセス装置によって取得された位置情報は、モバイル装置の位置情報として使用されてもよい。
【００３５】
ステップ３０４：無線アクセス装置は、無線アクセス装置の位置情報と測位要求とに応じて、モバイル装置の測位サービス情報を取得し、ここで、測位サービス情報は、モバイル装置の位置情報、地図情報、またはナビゲーション情報を含む。
【００３６】
具体的には、このステップは、以下を含む。
【００３７】
ステップ３０４−１：無線アクセス装置は、新しい測位要求を取得するために無線アクセス装置の位置情報を測位要求に挿入し、新しい測位要求内の測位サーバのＵＲＬに応じてこの新しい測位要求を測位サーバに送信し、ここで、新しい測位要求は、測位サービス識別子、位置情報、および測位サーバのＵＲＬを含む。
【００３８】
具体的には、ルーティングテーブル情報またはディープ・パケット・インスペクション情報が無線アクセス装置に設定されてもよく、無線アクセス装置は、ルーティングテーブル情報またはディープ・パケット・インスペクション情報に応じて、新しい測位要求を測位要求内の測位サーバのＵＲＬに対応する測位サーバに送信する。
【００３９】
本発明の実施形態では、グーグルのような測位サービスプロバイダによって提供された測位サービスに対して、測位サービスのＩＰアドレスが比較的固定されているので、無線アクセス装置は、動的または静的ルーティングポリシーを使用することにより無線アクセス装置から測位サーバまでのルートを決定し、決定されたルートをルーティングテーブルに記憶してもよく、ここで、動的または静的ルーティングポリシーは、従来技術に関係があり、ここではこれ以上説明しない。このようにして、無線アクセス装置は、無線アクセス装置から測位サーバまでのルートを取得するために記憶されたルーティングテーブル情報を検索し、取得されたルートに沿って正確に新しい測位要求を測位サーバに送信してもよい。
【００４０】
何らかの小規模事業者によって提供された測位サービスに対して、このような測位サーバのＩＰアドレスは、比較的固定していないので、無線アクセス装置は、測位要求を測位サーバに送信する前に、ディープ・パケット・インスペクション技術を用いて無線アクセス装置から測位サーバまでのルートを取得し、その後、プロービングによって取得されたルートに沿って正確に新しい測位要求を測位サーバに送信してもよい。
【００４１】
ステップ３０４−２：新しい測位要求を受信した後、測位サーバは、測位要求内の位置情報および測位サービス識別子に応じて、位置情報に関連する地図情報、または、測位サービス識別子によって識別された測位サービスに関連するナビゲーション情報を取得する。
【００４２】
具体的には、測位サーバは、位置情報に関連する地図情報、または、測位要求内の測位サービス識別子に対応する測位サービスに関連するナビゲーション情報を取得するために、測位要求内の位置情報に応じて地図検索を実行する。
【００４３】
ステップ３０４−３：測位サーバは、取得された地図情報またはナビゲーション情報を無線アクセス装置に送信する。
【００４４】
ステップ３０４−５：無線アクセス装置は、測位サーバによって返送された地図情報またはナビゲーション情報を受信した後に、モバイル装置の測位サービス情報として事前に取得された位置情報、地図情報、またはナビゲーション情報を使用する。
【００４５】
ステップ３０５：無線アクセス装置は、モバイル装置が測位サービス情報を受信し提示するように、取得された測位サービス情報を、無線通信接続を介して、モバイル装置に送信する。
【００４６】
具体的には、無線アクセス装置は、ＨＴＴＰまたはＲＴＳＰプロトコルを使用することにより無線通信接続を介して測位サービス情報をモバイル装置に送信する。
【００４７】
ステップ３０６：モバイル装置は、測位サービス情報を受信した後に、受信された測位サービス情報を提示し、例えば、位置に関連する地図情報を提示し、または、測位サービスに関連するナビゲーション情報を提示する。
【００４８】
この技術的解決手法は、モバイル装置のソフトウェアを変更することなく、モバイル装置用の測位サービスを実施でき、モバイル装置で測位サービスを実行し、より優れたサービスを人々に提供するために役立つ。
【００４９】
その上、好ましくは、無線アクセス装置は、ＡＰ機能を有しているので、測位サーバの機能が無線アクセス装置で設定され、実行されてもよく、さらに、本発明の実施形態では、地図ソフトウェアは、無線アクセス装置が移植された地図ソフトウェアを実行するように、前もって無線アクセス装置にポーティング（移植）していてもよい。
【００５０】
さらに、測位サービスクライアントは、モバイル装置および無線アクセス装置の両方に組み込まれてもよく、モバイル装置上の測位サービスクライアントが対象とする測位サーバのアドレスに無線アクセス装置内の組み込みサーバのＵＲＬが設定されてもよい。
【００５１】
上記説明に基づいて、本発明の実施形態は、モバイル装置によって要求された測位サービスを実行するために、モバイル装置が測位サービスを始動させるときにモバイル装置の測位サービス情報を取得できるように、モバイル装置用の測位サービスを実施する別の方法を提供する。図４を参照すると、具体的な内容は、以下の通りである。
【００５２】
ステップ４０１：モバイル装置が測位サービスを始動させるとき、例えば、モバイル装置がナビゲーションサービスを始動させるとき、モバイル装置は、無線通信接続を介して測位要求を無線アクセス装置に送信し、上記説明から分かるように、モバイル装置は、具体的には、無線通信接続を介して測位要求を無線アクセス装置内の組み込み測位サーバに送信する。
【００５３】
具体的には、モバイル装置の組み込み測位サービスクライアントは、測位サービスクライアントによってプリセットされた測位サーバのＵＲＬに応じて、ＨＴＴＰまたはＲＴＳＰプロトコルを使用することにより無線通信接続を介して、測位サービス識別子を含むことがある測位要求を無線アクセス装置内の組み込み測位サービスに送信する。
【００５４】
ステップ４０２：無線アクセス装置は、モバイル装置によって送信された測位要求を、無線通信接続を介して、受信し、ステップ４０１に関する説明から分かるように、無線アクセス装置は、具体的には、ＨＴＴＰまたはＲＴＳＰプロトコルを使用することにより無線通信接続を介してモバイル装置によって無線アクセス装置の組み込み測位サーバに送信された測位要求を受信する。
【００５５】
ステップ４０３：無線アクセス装置は、測位要求を受信した後に無線アクセス装置の位置情報を取得する。
【００５６】
具体的には、無線アクセス装置は、衛星測位システムを使用することにより測位によって無線アクセス装置の位置情報を取得する。本発明の実施形態の具体的な実施では、無線アクセス装置は、無線アクセス装置のＧＰＳモジュールのような衛星測位モジュールを呼び出し、衛星測位モジュールを呼び出すことにより衛星測位によって、ＧＰＳデータでもよいモバイル装置の位置情報を取得してもよい。
【００５７】
本発明の実施形態では、無線アクセス装置によって取得された無線アクセス装置の位置情報は、モバイル装置の位置情報として使用されてもよい。モバイル装置と無線アクセス装置とは、近距離無線通信プロトコルを介して接続を確立するので、モバイル装置と無線アクセス装置との間の距離は非常に短く、通常は１０ｍを超えない。その結果、本発明の実施形態では、モバイル装置と無線アクセス装置との間の距離が無視され、ＧＰＳモジュールのような衛星測位モジュールを呼び出すことにより衛星測位を用いて無線アクセス装置によって取得された位置情報は、モバイル装置の位置情報として使用されてもよい。
【００５８】
ステップ４０４：無線アクセス装置は、無線アクセス装置の位置情報および測位要求に応じてモバイル装置の測位サービス情報を取得し、ここで、測位サービス情報は、モバイル装置の位置情報、地図情報、またはナビゲーション情報を含む。
【００５９】
具体的には、無線アクセス装置内の組み込みサーバは、位置情報に関連する地図情報、または、測位サービス識別子によって識別された測位サービスに関連するナビゲーション情報を取得するために、取得された位置情報に応じて地図検索を実行し、モバイル装置の測位サービス情報として、取得された位置情報、地図情報、またはナビゲーション情報を使用する。
【００６０】
ここで、測位サーバの機能は、無線アクセス装置に組み込まれ、地図ソフトウェアは、無線アクセス装置にプリインストールされるので、無線アクセス装置は、取得された位置情報および測位サービス識別子に応じて、プリインストールされた地図ソフトウェアを実行し、地図検索を実行し、位置に関連する地図情報、または、測位サービス識別子によって識別された測位サービスに関連するナビゲーション情報を取得できる。
【００６１】
ステップ４０５：無線アクセス装置は、モバイル装置が測位サービス情報を受信し提示するように、取得された測位サービス情報を、無線通信接続を介して、モバイル装置に送信する。
【００６２】
具体的には、無線アクセス装置は、ＨＴＴＰまたはＲＴＳＰプロトコルを使用することにより無線通信接続を介して測位サービス情報をモバイル装置に送信してもよい。
【００６３】
本発明の実施形態では、無線アクセス装置は、ＨＴＴＰまたはＲＴＳＰプロトコルを使用することにより、画像、音声、またはテキストを用いて無線通信接続を介して、測位サービス情報をモバイル装置に送信してもよい。
【００６４】
ステップ４０６：モバイル装置は、測位サービス情報を受信した後に受信された測位サービス情報を提示し、例えば、位置情報に関連する地図情報を提示し、または、測位サービスに関連するナビゲーション情報を提示する。
【００６５】
ここで、モバイル装置は、機能強化されたストリーミングクライアントをプリインストールし、実行してもよい。無線アクセス装置によって返送された測位サービス情報を受信した後、モバイル装置は、測位サービス情報内の地図情報またはナビゲーション情報をユーザに提示するためにストリーミングクライアントを実行し、それによって、モバイル機能の測位サービス機能を実施する。
【００６６】
この技術的解決手法は、モバイル装置がＧＰＳモジュールのような衛星測位モジュールを有していないときにモバイル装置用の測位サービスを実施でき、モバイル装置で測位サービスを実行し、より優れたサービスを人々に提供するために役立つ。
【００６７】
その上、無線アクセス装置の測位能力と無線アクセス装置にアクセスするモバイル装置の測位能力との間で互換性を確保するために、無線アクセス装置の測位能力を照会する機能がモバイル装置の端末アプリケーションに設けられてもよい。
【００６８】
上記説明に基づいて、本発明の実施形態は、モバイル装置用の測位サービスを実施する別の方法を提供する。モバイル装置によって測位サービスを始動させるために、モバイル装置の測位サービス情報は、モバイル装置によって要求された測位サービスを実施するため取得される必要がある。図５を参照すると、具体的な内容は、以下の通りである。
【００６９】
ステップ５０１：モバイル装置は、無線通信接続を介して測位能力照会要求を無線アクセス装置に送信する。
【００７０】
モバイル装置は、測位サービスを始動させるとき、例えば、モバイル装置がナビゲーションサービスを始動させるとき、無線アクセス装置の測位能力を照会するプロセスを開始し、無線通信接続を介して測位能力照会要求を無線アクセス装置に送信してもよい。
【００７１】
具体的には、モバイル装置は、無線アクセス装置のプリセットされたＵＲＬアドレスへの測位能力照会要求を開始し、例えば、１９２．１６８．１．１／ｃａｐａｂｉｌｉｔｙというＵＲＬをもつ無線アクセス装置への測位能力照会要求を開始する。
【００７２】
さらに、具体的な実施では、モバイル装置は、ＷｉＦｉを介して無線アクセス装置にアクセスするときに無線アクセス装置の測位能力を照会するプロセスを開始し、測位能力照会要求をアクセスされた無線アクセス装置に、ＷｉＦｉプロトコルを介して、送信してもよい。
【００７３】
ステップ５０２：無線通信接続を介して測位能力照会要求を受信した後、無線アクセス装置は、無線アクセス装置自体が測位能力を有しているか否かを検出する。
【００７４】
無線アクセス装置自体が測位能力を有していないと判定したとき、無線アクセス装置は、無線通信接続を介して失敗応答をモバイル装置に返送する。測位サービス要求中は、モバイル装置が失敗応答を受信した後に終了される。
【００７５】
無線アクセス装置自体が測位能力を有していると判定したとき、無線アクセス装置は、無線通信接続を介して成功応答をモバイル装置に返送し、その後、ステップ５０３が実行される。
【００７６】
ステップ５０３：モバイル装置は、無線アクセス装置によって返送された成功応答を受信した後に無線通信接続を介して測位要求を測位サーバに送信する。
【００７７】
具体的には、モバイル装置は、ＨＴＴＰまたはＲＴＳＰプロトコルを使用することにより無線通信接続を介して測位要求を測位サーバに送信し、ここで、測位要求は、測位サービス識別子および測位サーバのＵＲＬのような情報を含んでもよい。
【００７８】
ステップ５０４：無線アクセス装置は、モバイル装置によって送信された測位要求を、無線通信接続を介して、受信し、測位要求を受信した後に無線アクセス装置の位置情報を取得する。
【００７９】
具体的には、無線アクセス装置は、衛星測位システムを使用することにより測位によって無線アクセス装置の位置情報を取得する。本発明の実施形態の具体的な実施では、無線アクセス装置は、ＧＰＳモジュールのような衛星測位モジュールを呼び出し、衛星測位モジュールを呼び出すことによって衛星測位により、具体的には、ＧＰＳデータでもよいモバイル装置の位置情報を取得してもよい。
【００８０】
本発明の実施形態では、無線アクセス装置によって取得された無線アクセス装置の位置情報は、モバイル装置の位置情報として使用されてもよい。モバイル装置は、ＷｉＦｉを介して無線アクセス装置にアクセスするので、モバイル装置と無線アクセス装置との間の距離は、非常に短く、通常は１０ｍを超えない。その結果、本発明の実施形態では、モバイル装置と無線アクセス装置との間の距離が無視され、ＧＰＳモジュールのような衛星測位モジュールを呼び出すことにより衛星測位を用いて無線アクセス装置によって取得された位置情報は、モバイル装置の位置情報として使用されてもよい。
【００８１】
ステップ５０５：無線アクセス装置は、無線アクセス装置の位置情報および測位要求に応じてモバイル装置の測位サービス情報を取得し、ここで、測位サービス情報は、モバイル装置の位置情報、地図情報、またはナビゲーション情報を含む。
【００８２】
具体的には、測位サーバが無線アクセス装置と無関係であるとき、無線アクセス装置は、新しい測位要求を取得するために位置情報を測位要求に挿入し、測位サーバが、受信された測位要求内の位置情報および測位サービス識別子に応じて、位置情報に関連する地図情報または測位サービス識別子によって識別された測位サービスに関連するナビゲーション情報を取得するように、新しい測位要求を測位サーバに送信し、無線アクセス装置は、測位サーバによって返送された地図情報またはナビゲーション情報を受信し、モバイル装置の測位サービス情報として、取得された位置情報、地図情報、またはナビゲーション情報を使用する。
【００８３】
測位サーバが無線アクセス装置内に統合されたとき、無線アクセス装置内の組み込み測位サーバは、取得された位置情報および受信された測位要求内の測位サービス識別子に応じて、位置情報に関連する地図情報または測位サービス識別子によって識別された測位サービスに関連するナビゲーション情報を取得し、モバイル装置の測位サービス情報として、取得された位置情報、地図情報、またはナビゲーション情報を使用する。
【００８４】
ステップ５０６：無線アクセス装置は、モバイル装置が受信された測位サービス情報を提示するように、無線通信接続を介して測位サービス情報をモバイル装置に送信する。
【００８５】
本発明の実施形態では、無線アクセス装置は、ハイパーテキスト転送プロトコルまたはリアルタイム・ストリーミング・プロトコルを使用することにより無線通信接続を介して、測位サービス情報をモバイル装置に送信してもよく、または、
無線アクセス装置は、仮想シリアルポート、ブロードキャストモード、または伝送制御プロトコル／インターネット・プロトコル・ポートを使用することにより無線通信接続を介して、測位サービス情報をモバイル装置に送信する。
【００８６】
本発明の実施形態では、測位により無線アクセス装置によって取得されたモバイル装置の位置情報は、衛星測位情報、例えば、ＧＰＳデータでもよく、ＧＰＳデータの標準データフォーマットは、ＮＭＥＡ（Ｎａｔｉｏｎａｌ  Ｍａｒｉｎｅ  Ｅｌｅｃｔｒｏｎｉｃｓ  Ａｓｓｏｃｉａｔｉｏｎ、国立海洋電子協会）フォーマットでもよい。ユニバーサルインターフェースは、ＮＥＭＡポートである。ＮＥＭＡポートは、ユニバーサル・シリアル・ポートであり、殆ど全てのナビゲーションソフトウェアは、ＮＥＭＡポートを識別できる。ＮＭＥＡポートは、データ出力ポートだけであり、入力命令を受け入れない。
【００８７】
上記説明に基づいて、仮想シリアルポートの伝送モードは、具体的には、以下の通りである。
【００８８】
ＨＴＴＰまたはＲＴＳＰプロトコルに基づく測位要求を受信した後、無線アクセス装置は、ＡＴインターフェースを介して、測位コマンドをＧＰＳモジュールのような衛星測位モジュールに送信し、ＧＰＳモジュールのような衛星測位モジュールによって取得された測位結果がＮＥＭＡポートを介して出力されてもよく、ＮＥＭＡフォーマットのＧＰＳデータが取得され、その後、ＨＴＴＰによってカプセル化されたＮＭＥＡデータがモバイル装置に送信される。
【００８９】
端末装置は、シリアルポートの仮想ソフトウェアをプリインストールする。本発明の実施形態では、モバイル装置は、無線アクセス装置のＧＰＳモジュールのような衛星測位モジュールをシリアルポート装置の中に仮想化し、ここで、シリアルポート装置は、内部仮想シリアルポートを提供し、ＷＩＦＩを介して外部で無線アクセス装置に接続され、モバイル装置は、測位を要求するときにＷＩＦＩを介してＨＴＴＰ測位要求を無線アクセス装置に送信し、ＮＭＥＡデータを受信した後に仮想シリアルポートを介してデータを測位ソフトウェアに送信する。
【００９０】
ブロードキャストモードまたは伝送制御プロトコルＴＣＰ／インターネット・プロトコルＩＰポート伝送モードは、以下の通りである。
【００９１】
本発明の実施形態では、ＭＩＦＩ装置がＡＰとして使用されてもよく、ＡＲＭ  １１（Ａｄｖａｎｃｅｄ  ＲＩＳＣ  Ｍａｃｈｉｎｅｓ、高性能縮小命令セットコンピュータ、ここで、ＲＩＳＣの完全な綴りは、Ｒｅｄｕｃｅｄ  Ｉｎｓｔｒｕｃｔｉｏｎ  Ｓｅｔ  Ｃｏｍｐｕｔｅｒである）またはＣｏｒｔｅｘ  Ａ８プロセッサなどを有している。
【００９２】
その後、ソケットサーバがＡＲＭ  １１側に構築され、測位ソフトウェアが実行されるとき、２つの選択肢がユーザに与えられる。ユーザは、ユニバーサルＮＥＭＡポートを選択するか、または、ソケットポートを選択してもよく、開かれたソケットポートがソケットサーバに接続される。
【００９３】
モバイル装置が測位要求を無線アクセス装置に送信するとき、ソケットサーバは、ＡＴコマンドを使用することにより測位要求をＡＲＭ９に転送し、ＡＲＭ９は、ＡＴコマンドを使用することによりＮＭＥＡデータをソケットサーバに送信し、ソケットサーバは、その後、ＮＭＥＡデータをソケットクライアントに転送する。ＧＰＳモジュールのような衛星測位モジュールは、ＮＥＭＡデータを取得すること可能であり、無線アクセス装置は、ＨＴＴＰまたはＲＴＳＰによってカプセル化されたＮＥＭＡデータをモバイル装置に送信する。
【００９４】
ブロードキャスト伝送モードは、以下の通りである。
【００９５】
このモードは、ＴＣＰ／ＩＰポート伝送モードに基本的に類似し、相異は、ブロードキャストモードが無線アクセス装置側からモバイル装置側にブロードキャストドメイン内でＮＭＥＡデータを送信するためにＵＰｎＰ（Ｕｎｉｖｅｒｓａｌ  Ｐｌｕｇ  ａｎｄ  Ｐｌａｙ、プラグ・アンド・プレイ）またはその他のアプリケーション層プロトコルを使用することがある点である。
【００９６】
ステップ５０７：モバイル装置は、測位サービス情報を受信した後に、受信された測位サービス情報を提示し、例えば、モバイル装置の位置に関連する地図情報を提示し、または、測位サービスに関連するナビゲーション情報を提示する。
【００９７】
ここで、モバイル装置は、機能強化されたストリーミングクライアントをプリインストールし、実行してもよい。ＭＩＦＩによって返送された測位サービス情報を受信した後、モバイル装置は、測位サービス情報内の地図情報またはナビゲーション情報などをユーザに提示するためにストリーミングクライアントを実行し、それによって、モバイル装置の測位サービス機能を実施する。
【００９８】
この技術的解決手法は、モバイル装置が測位能力を有していないときに、モバイル装置用の測位サービスを実施でき、モバイル装置で測位サービスを実行し、より優れたサービスを人々に提供するために役立つ。
【００９９】
上記技術的解決手法は、モバイル装置がＧＰＳモジュールのような衛星測位モジュールを有していないが、無線アクセス装置がＧＰＳモジュールのような衛星測位モジュールを有しているとき、モバイル装置が測位サービスを始動させるため位置情報を取得する必要があるときに、モバイル装置が無線アクセス装置によって提供された衛星測位モジュールを介してモバイル装置の測位および測位サービスを実施できるように、無線アクセス装置のＧＰＳ機能を使用するためにどのようにしてモバイル装置が有効にされるかを示す。以下の実施形態は、無線アクセス装置が無線アクセス装置のＧＰＳ機能を使用しないとき、どのようにしてモバイル装置で測位サービスを実施するかを示す。図６は、本発明の実施形態によるモバイル装置用の測位サービスを実施する別の方法を示し、この方法は、具体的には、以下の通りである。
【０１００】
ステップ６０１：モバイル装置が測位サービスを始動させるとき、例えば、モバイル装置がナビゲーションサービスを始動させるとき、モバイル装置は、無線通信接続を介して測位要求を測位サーバに送信する。
【０１０１】
具体的には、モバイル装置は、ＨＴＴＰまたはＲＴＳＰプロトコルを使用することにより無線通信接続を介して測位要求を測位サーバに送信し、ここで、測位要求は、測位サービス識別子および測位サーバのＵＲＬのような情報を含んでもよい。
【０１０２】
ステップ６０２：無線アクセス装置は、無線通信接続を介して測位要求を受信し、測位要求を受信した後に無線アクセス装置の位置情報を取得する。
【０１０３】
具体的には、無線アクセス装置は、無線アクセス装置のＩＰアドレスを使用することにより測位によって無線アクセス装置の位置情報を取得し、または、無線アクセス装置は、無線アクセス装置によりアクセスされたセルのセル識別子を使用することにより測位によって無線アクセス装置の位置情報を取得し、ここで、無線アクセス装置によって取得された位置情報は、具体的には、モバイル装置のＩＰアドレス、または、モバイル装置によってアクセスされたセルのＣｅｌｌ  ＩＤ（セルＩＤ）である。
【０１０４】
本発明の実施形態では、無線アクセス装置によって取得された無線アクセス装置の位置情報は、モバイル装置の位置情報として使用されてもよい。モバイル装置は、ＷｉＦｉを介して無線アクセス装置にアクセスするので、モバイル装置と無線アクセス装置との間の距離は、非常に短く、通常は、１０ｍを超えない。その結果、本発明の実施形態では、モバイル装置と無線アクセス装置との間の距離が無視され、ＧＰＳモジュールのような衛星測位モジュールを呼び出すことにより衛星測位を用いて無線アクセス装置によって取得された位置情報は、モバイル装置の位置情報として使用されてもよい。
【０１０５】
無線アクセス装置によって、無線アクセス装置のＩＰアドレスを使用することにより測位によって無線アクセス装置の位置情報を取得する原理は、以下の通りである。
【０１０６】
無線アクセス装置は、無線アクセス装置のＩＰアドレスを伝送制御プロトコルＴＣＰ／インターネット・プロトコルＩＰ測位プラットフォームに報告し、
ＴＣＰ／ＩＰ測位プラットフォームは、無線アクセス装置のＩＰアドレスに応じて無線アクセス装置のＩＰアドレスに対応する位置情報を取得するために、ＩＰアドレスと位置情報との間の対応関係を検索し、
ＴＣＰ／ＩＰ測位プラットフォームは、無線アクセス装置の取得された位置情報を無線アクセス装置に返送する。
【０１０７】
無線アクセス装置によって、無線アクセス装置によってアクセスされたセルのセル識別子を使用することにより測位を用いて無線アクセス装置の位置情報を取得することは、
無線アクセス装置によって、無線アクセス装置によってアクセスされたセルのセル識別子を取得すること、具体的には、無線アクセス装置がＷＣＤＭＡまたはＨＳＤＰＡの無線アクセス能力を使用することにより事業者ネットワークにアクセスした後、事業者ネットワーク側で無線アクセス装置によってアクセスされたセルの基地局が無線アクセス装置によってアクセスされたセルのセル識別子を無線アクセス装置に返送することと、
無線アクセス装置によって、無線アクセス装置によってアクセスされたセルのセル識別子を事業者ネットワーク側にある位置検索システムに報告することと、
無線アクセス装置によってアクセスされたセルのセル識別子に応じて位置検索システムによって、セル識別子によって識別されたセル内の無線アクセス装置の位置情報であり、無線アクセス装置によってアクセスされたセルのセル識別子に対応する基地局の中心座標を取得するために、セル識別子と基地局の中心座標との間の対応関係を含むセル情報データベースを検索することと、
位置検索システムによって、無線アクセス装置の取得された位置情報を無線アクセス装置に返送することと
を含む。
【０１０８】
ステップ６０３：無線アクセス装置は、取得された位置情報および測位要求に応じて、モバイル装置の測位サービス情報を取得し、ここで、測位サービス情報は、モバイル装置の位置情報、地図情報、またはナビゲーション情報を含む。
【０１０９】
具体的には、測位サーバが無線アクセス装置と無関係であるとき、無線アクセス装置は、新しい測位要求を取得するために位置情報を測位要求に挿入し、測位サーバが、受信された測位要求内の位置情報および測位サービス識別子に応じて、位置情報に関連する地図情報または測位サービス識別子によって識別された測位サービスに関連するナビゲーション情報を取得するように、新しい測位要求を測位サーバに送信し、無線アクセス装置は、測位サーバによって返送された地図情報またはナビゲーション情報を受信し、モバイル装置の測位サービス情報として、取得された位置情報、地図情報、またはナビゲーション情報を使用する。
【０１１０】
測位サーバが無線アクセス装置内に統合されたとき、無線アクセス装置内の組み込み測位サーバは、取得された位置情報と受信された測位要求内の測位サービス識別子とに応じて、位置情報に関連する地図情報または測位サービス識別子によって識別された測位サービスに関連するナビゲーション情報を取得し、モバイル装置の測位サービス情報として、取得された位置情報、地図情報、またはナビゲーション情報を使用する。
【０１１１】
ステップ６０４：無線アクセス装置は、モバイル装置が受信された測位サービス情報を提示するように、無線通信接続を介して測位サービス情報をモバイル装置に送信する。
【０１１２】
本発明の実施形態では、無線アクセス装置は、ハイパーテキスト転送プロトコルまたはリアルタイム・ストリーミング・プロトコルを使用することにより無線通信接続を介して、測位サービス情報をモバイル装置に送信してもよく、または、
無線アクセス装置は、仮想シリアルポート、ブロードキャストモード、または伝送制御プロトコル／インターネット・プロトコル・ポートを使用することにより無線通信接続を介して、測位サービス情報をモバイル装置に送信する。
【０１１３】
ステップ６０５：モバイル装置は、測位サービス情報を受信した後に、受信された測位サービス情報を提示し、例えば、モバイル装置の位置に関連する地図情報を提示し、または、測位サービスに関連するナビゲーション情報を提示する。
【０１１４】
ここで、モバイル装置は、機能強化されたストリーミングクライアントをプリインストールし、実行する。無線アクセス装置によって返送された測位サービス情報を受信した後、モバイル装置は、測位サービス情報内の地図情報またはナビゲーション情報などをユーザに提示するためにストリーミングクライアントを実行し、それによって、モバイル装置の測位サービス機能を実施する。
【０１１５】
さらに、注意すべき点として、モバイル装置によって送信された測位要求を取得する前に、この方法は、
モバイル装置によって送信された測位能力照会要求を受信し、無線アクセス装置が測位能力を有していることを判定したとき、成功応答をモバイル装置に返送することをさらに含んでもよい。
【０１１６】
この技術的解決手法は、モバイル装置のソフトウェアを変更することなく、モバイル装置用の測位サービスを実施でき、モバイル装置で測位サービスを実行し、より優れたサービスを人々に提供するために役立つ。
【０１１７】
＜実施の形態３＞
図７は、具体的には、方法実施形態２における無線アクセス装置と同じであり、無線アクセスモジュール７００と、第１の取得モジュール７０１と、第２の取得モジュール７０２と、第３の取得モジュール７０３と、送信モジュール７０４とを含む携帯型帯域幅無線設備を示し、ここで：
無線アクセスモジュール７００は、近距離無線通信プロトコルを介してモバイル装置と無線通信接続を確立するように構成され、
第１の取得モジュール７０１は、モバイル装置によって送信された測位要求を、無線通信接続を介して、取得するように構成され、
第２の取得モジュール７０２は、第１の取得モジュール７０１が測位要求を取得した後に無線アクセス装置の位置情報を取得するように構成され、
第３の取得モジュール７０３は、第２の取得モジュール７０２によって取得された位置情報と第１の取得モジュール７０１によって取得された測位要求とに応じて、モバイル装置の位置情報、地図情報、またはナビゲーション情報を含むモバイル装置の測位サービス情報を取得するように構成され、
送信モジュール７０４は、モバイル装置が測位サービス情報を受信し提示するように、第３の取得モジュール７０３によって取得された測位サービス情報を、無線通信接続を介して、モバイル装置に返送するように構成されている。
【０１１８】
本発明の実施形態では、無線アクセス装置は、モバイル装置によって送信された測位能力照会要求を受信し、無線アクセス装置が測位能力を有していると判定されたとき、無線通信接続を介して成功応答をモバイル装置に送信するように構成されている照会モジュールをさらに含む。
【０１１９】
具体的には、第２の取得モジュール７０２は、
衛星測位システムを介して無線アクセス装置の位置情報を取得するように構成されている第１の取得ユニット、または、
無線アクセス装置のＩＰアドレスを使用することにより測位によって無線アクセス装置の位置情報を取得するように構成されている第２の取得ユニット、または、
無線アクセス装置によってアクセスされたセルのセル識別子を使用することにより測位によって無線アクセス装置の位置情報を取得するように構成されている第３の取得ユニットを含む。
【０１２０】
本発明の実施形態では、第１の取得モジュール７０１は、具体的には、測位要求が測位サービス識別子および測位サーバのユニフォーム・リソース・ロケータを含むとき、無線アクセス装置を経由して無線通信接続を介してモバイル装置によって測位サーバに送信された測位要求を傍受するように構成され、
それに応じて、第３の取得モジュール７０３は、具体的には、測位要求が測位サービス識別子および測位サーバのユニフォーム・リソース・ロケータを含むとき、新しい測位要求を取得するように、取得された位置情報を測位要求に挿入し、測位サーバが、位置情報および測位サービス識別子に応じて、位置情報に関連する地図情報または測位サービス識別子によって識別された測位サービスに関連するナビゲーション情報を取得するように、測位サーバのユニフォーム・リソース・ロケータに応じて新しい測位要求を測位サーバに送信し、測位サーバによって返送された地図情報またはナビゲーション情報を受信し、モバイル装置の測位サービス情報として、取得された位置情報、地図情報、またはナビゲーション情報を使用するように構成されている。
【０１２１】
本発明の実施形態では、第１の取得モジュール７０１は、具体的には、測位要求が測位サービス識別子を含むとき、無線通信接続を介してモバイル装置によって無線アクセス装置内の組み込み測位サーバに送信された測位要求を受信するように構成され、
それに応じて、第３の取得モジュール７０３は、具体的には、測位要求が測位サービス識別子を含むとき、位置情報および測位サービス識別子に応じて、位置情報に関連する地図情報または測位サービス識別子によって識別された測位サービスに関連するナビゲーション情報を取得し、モバイル装置の測位サービス情報としてモバイル装置の位置情報、地図情報、またはナビゲーション情報を使用するように構成されている。
【０１２２】
送信モジュール７０４は、
ハイパーテキスト転送プロトコルまたはリアルタイム・ストリーミング・プロトコルを使用することにより無線通信接続を介して測位サービス情報をモバイル装置に送信するように構成されている第１の送信ユニット、または、
仮想シリアルポート、ブロードキャストモード、または伝送制御プロトコル／インターネット・プロトコル・ポートを使用することにより無線通信接続を介して測位サービス情報をモバイル装置に送信するように構成されている第２の送信ユニットを含む。
【０１２３】
この技術的解決手法は、モバイル装置のソフトウェアを変更することなく、モバイル装置用の測位サービスを実施でき、モバイル装置で測位サービスを実行し、より優れたサービスを人々に提供するために役立つ。
【０１２４】
本発明の方法および装置実施形態に関して、参照が相互に行われてもよい。手順全体が方法実施形態において詳細に説明されているので、ある種の詳細が装置実施形態において省かれる。詳細については、方法実施形態が参照されてもよい。
【０１２５】
当業者は、上記実施形態のステップの全部または一部がハードウェアによって実施されてもよいこと、または、関連ハードウェアに命令するプログラムによって実施されてもよいことを理解するだろう。プログラムは、コンピュータ読み取り可能な媒体に記憶されてもよい。記憶媒体は、リード・オンリー・メモリ、磁気ディスク、または光ディスクでもよい。
【０１２６】
以上の詳細な説明は、本発明の単なる例示的な実施形態であるが、本発明を限定することが意図されていない。本発明の原理の範囲内で行われた変更、均等な置き換え、または改良はどれでも本発明の保護範囲に含まれるべきである。
【図１】
2014527742.tif 000003
【図２】
2014527742.tif 000004
【図３】
2014527742.tif 000005
【図４】
2014527742.tif 000006
【図５】
2014527742.tif 000007
【図６】
2014527742.tif 000008
【図７】
2014527742.tif 000009
【国際調査報告】
2014527742.tif 000010
2014527742.tif 000011
2014527742.tif 000012
2014527742.tif 000013